(57)【要約】【課題】光ビームを出力する光源による電力の無駄な消費を抑制するとともに、光源の長寿命化を図り、最適な条件で画像を読み取ることのできる画像読取装置における光源出力調整方法及び装置を提供する。【解決手段】レーザダイオード１０４から出力されたレーザビームＬを走査光学系１３６を介して蓄積性蛍光体シートＩＰに照射し、得られた輝尽発光光を上部読取ユニット６６及び下部読取ユニット６８により読み取る。読み取られた放射線画像情報の読取値（ＱＬ値）は、光源出力調整部１４６に供給され、ＬＤ出力目標値テーブル記憶部１４８から読み出したＬＤ出力目標値テーブルを用いてＬＤ出力目標値が求められる。このＬＤ出力目標値は、ＬＤ制御部１４９に設定されてレーザダイオード１０４が駆動される。【選択図】図３
2005086696.tif 000002
【特許請求の範囲】
【請求項１】
光源から出力された光ビームを記録媒体に照射し、前記光ビームに基づいて前記記録媒体から得られた画像情報を集光光学系を介して光電変換部により読み取る画像読取装置における光源出力調整方法であって、
前記光電変換部により読み取った前記画像情報の読取値に基づき、前記光ビームを所定の出力値とすべく前記光源を調整することを特徴とする画像読取装置における光源出力調整方法。
【請求項２】
請求項１記載の光源出力調整方法において、
前記記録媒体には、前記光源を調整すべく規定の画像情報が記録されることを特徴とする画像読取装置における光源出力調整方法。
【請求項３】
請求項１記載の光源出力調整方法において、
前記記録媒体は、放射線画像情報を蓄積記録し、前記光ビームが照射されることで前記放射線画像情報に応じて輝尽発光光を出力する蓄積性蛍光体シートからなることを特徴とする画像読取装置における光源出力調整方法。
【請求項４】
請求項１記載の光源出力調整方法において、
前記光源は、レーザダイオードであることを特徴とする画像読取装置における光源出力調整方法。
【請求項５】
請求項１記載の光源出力調整方法において、
前記光源とは独立に配設した出力調整用光源から出力調整用光ビームを出力し、前記出力調整用光ビームを前記集光光学系を介して前記光電変換部により読み取り、得られた読取値に基づき、前記光ビームを所定の出力値とすべく前記光源を調整することを特徴とする画像読取装置における光源出力調整方法。
【請求項６】
光源から出力された光ビームを記録媒体に照射し、前記光ビームに基づいて前記記録媒体から得られた画像情報を集光光学系を介して光電変換部により読み取る画像読取装置における光源出力調整装置であって、
前記光電変換部により読み取った前記画像情報の読取値に基づき、前記光ビームを所定の出力値とすべく前記光源を調整する光源出力調整部を備えることを特徴とする画像読取装置における光源出力調整装置。
【請求項７】
請求項６記載の光源出力調整装置において、
前記記録媒体は、放射線画像情報を蓄積記録し、前記光ビームが照射されることで前記放射線画像情報に応じて輝尽発光光を出力する蓄積性蛍光体シートからなることを特徴とする画像読取装置における光源出力調整装置。
【請求項８】
請求項６記載の光源出力調整装置において、
前記画像読取装置は、前記光源から出力された前記光ビームを前記記録媒体上で走査させる走査光学系を備えることを特徴とする画像読取装置における光源出力調整装置。
【請求項９】
請求項６記載の光源出力調整装置において、
前記光源とは独立に配設される出力調整用光源を備え、
前記出力調整用光源から出力された出力調整用光ビームを前記集光光学系を介して前記光電変換部により読み取り、得られた読取値に基づき、前記光ビームを所定の出力値とすべく前記光源を調整することを特徴とする画像読取装置における光源出力調整装置。
【請求項１０】
請求項６記載の光源出力調整装置において、
前記光源は、レーザダイオードであることを特徴とする画像読取装置における光源出力調整装置。
【発明の詳細な説明】
【技術分野】
【０００１】
本発明は、光源から出力された光ビームを記録媒体に照射し、前記光ビームに基づいて前記記録媒体から得られた画像情報を集光光学系を介して光電変換部により読み取る画像読取装置における光源出力調整方法及び装置に関する。
【背景技術】
【０００２】
画像情報が記録された記録媒体に走査光学系を用いて光ビームを照射し、前記記録媒体から画像情報に応じて得られる光情報を集光光学系を介して光電変換器により読み取る画像読取装置が広汎に使用されている。
【０００３】
この場合、記録媒体に照射される光ビームを出力する光源としては、レーザダイオードが一般的である。レーザダイオードは、供給される電流値の変動や環境温度の変化によって出力されるレーザビームの強度が変動する。そこで、例えば、特許文献１に開示されているように、記録媒体に導かれるレーザビームをビームスプリッタ等により分岐させて光検出器に導き、レーザビームの強度を検出し、この強度が一定となるようにレーザダイオードにフィードバックさせる技術が開発されている。
【０００４】
【特許文献１】特開平５−２９９７５５号公報
【発明の開示】
【発明が解決しようとする課題】
【０００５】
ところで、レーザダイオードと記録媒体との間に配設される走査光学系や、記録媒体と光電変換器との間に配設される集光光学系は、画像読取装置内に発生する塵埃や経時的な変色等の影響を受けると、レーザビームの透過率が低下する。この場合、レーザダイオードの直後に配設された光検出器より得た情報からは、走査光学系や集光光学系の透過率の変動を補正することができない。従って、従来は、これらの光学系の透過率の低下を考慮し、レーザダイオードの出力を予め大きく設定して画像の読み取りを行っている。
【０００６】
この場合、レーザダイオードの駆動に余分な電力が消費されるだけでなく、レーザダイオードの寿命が低下する不具合が生じる。また、記録媒体に対して過剰なレーザビームが照射されるため、記録媒体が劣化するおそれもある。さらに、レーザダイオードを定格近くで駆動していると、使用中に発生した静電ノイズ等の影響によりレーザダイオードの出力が変動した場合、レーザダイオードに定格以上の電流が供給され、寿命がさらに短縮されてしまうおそれがある。
【０００７】
本発明は、前記の課題を解決するためになされたものであり、光ビームを出力する光源による電力の無駄な消費を抑制するとともに、光源の長寿命化を図り、最適な条件で画像を読み取ることのできる画像読取装置における光源出力調整方法及び装置を提供することを目的とする。
【課題を解決するための手段】
【０００８】
前記の目的を達成するために、本発明は、光源から出力された光ビームを記録媒体に照射し、前記光ビームに基づいて前記記録媒体から得られた画像情報を集光光学系を介して光電変換部により読み取る画像読取装置における光源出力調整方法であって、
前記光電変換部により読み取った前記画像情報の読取値に基づき、前記光ビームを所定の出力値とすべく前記光源を調整することを特徴とする。
【０００９】
また、本発明は、光源から出力された光ビームを記録媒体に照射し、前記光ビームに基づいて前記記録媒体から得られた画像情報を集光光学系を介して光電変換部により読み取る画像読取装置における光源出力調整装置であって、
前記光電変換部により読み取った前記画像情報の読取値に基づき、前記光ビームを所定の出力値とすべく前記光源を調整する光源出力調整部を備えることを特徴とする。
【００１０】
この場合、光源から出力される光ビームの出力値を、集光光学系を介して読み取った読取値（ＱＬ値：Ｑｕａｎｔｕｍ  Ｌｅｖｅｌ値）に従って調整することにより、集光光学系の透過率又は反射率の変化を考慮した適切な強度からなる光ビームを出力して記録媒体に導くことができる。
【００１１】
なお、光源の出力値の調整は、任意の画像情報又は規定の画像情報が記録された記録媒体を読み取って得られる読取値（ＱＬ値）に基づいて行うことができる。任意の画像情報を用いて調整する場合には、画像情報の読取処理と同時に調整処理を行うことができる。また、記録媒体として、放射線画像情報を蓄積記録し、光ビームが照射されることで前記放射線画像情報に応じて輝尽発光光を出力する蓄積性蛍光体シートを用いることができる。光源としては、レーザダイオードが適用され、このレーザダイオードの出力を適切に調整することができる。
【００１２】
さらに、光源と記録媒体との間に走査光学系を備えた画像読取装置においては、走査光学系及び集光光学系の双方の透過率又は反射率の変動を考慮して光源の出力を調整することができる。
【００１３】
さらにまた、光源から出力された光ビームを光電変換部に導く代わりに、光源とは独立に出力調整用光源を設け、この出力調整用光源から出力調整用光ビームを出力させ、集光光学系を介して光電変換部により読み取り、その読取値（ＱＬ値）から光ビームの出力値を調整するようにしてもよい。
【発明の効果】
【００１４】
本発明によれば、集光光学系の透過率又は反射率を考慮した適切な強度からなる光ビームが出力されるように光源を調整することができるため、光源を過剰に駆動して電力消費を増大させることがないだけでなく、適切な強度からなる光ビームを記録媒体に照射し、画像情報を良好に読み取ることができる。また、光源が過負荷状態とならないため、光源の長寿命化を図ることができる。
【発明を実施するための最良の形態】
【００１５】
図１は、本発明の画像読取装置が適用される放射線画像情報読取装置２０の構成を示す。放射線画像情報読取装置２０を構成する筐体３０の上部には、操作及びモニタの機能を有する操作パネル３２が設けられ、操作パネル３２の下方には、複数、例えば、４つのカセッテ３４を装填可能なカセッテ装填ユニット３６ａ〜３６ｄが設けられる。カセッテ３４には、蓄積性蛍光体シートＩＰが収容される。
【００１６】
なお、蓄積性蛍光体シートＩＰとは、放射線（Ｘ線、α線、β線、γ線、電子線、紫外線等）を照射すると、その放射線エネルギの一部を蓄積し、後にレーザ光や可視光等の励起光を照射することで蓄積されたエネルギに応じた輝尽発光を示す蓄積性蛍光体層を有するシートである。
【００１７】
カセッテ装填ユニット３６ａ〜３６ｄに装填されるカセッテ３４は、蓄積性蛍光体シートＩＰを収容するケース４０と、ケース４０の開口部４２を開閉自在とする蓋体４４とを有する。なお、本実施形態の放射線画像情報読取装置２０では、表面からのみ放射線画像情報を読み取り可能な蓄積性蛍光体シートＩＰと、透明な支持体上に放射線画像情報が蓄積記録される蓄積性蛍光体層が形成され、表面及び裏面の両面から放射線画像情報を読み取り可能な蓄積性蛍光体シートＩＰのいずれも用いることができる。
【００１８】
カセッテ装填ユニット３６ａ〜３６ｄには、カセッテ３４を載置するための支持台４６が設けられるとともに、筐体３０の内部を遮光するためのシャッター部材４８が開閉自在に配置される。さらに、各カセッテ装填ユニット３６ａ〜３６ｄの内部には、カセッテ３４から蓄積性蛍光体シートＩＰを取り出す吸着盤５２ａ〜５２ｄを備えた枚葉部５０が配設される。
【００１９】
枚葉部５０には、蓄積性蛍光体シートＩＰを搬送するメイン搬送路６０が連設される。メイン搬送路６０は、枚葉部５０から下方向に延在した後、筐体３０の下部において湾曲し、水平方向に延在して読取搬送路７０に至る。なお、読取搬送路７０を構成する第１及び第２ローラ対８０、８２は、蓄積性蛍光体シートＩＰを挟持して矢印Ｙ方向に副走査搬送する。
【００２０】
読取搬送路７０は、湾曲して上方向に延在した後、水平方向に延在する退避搬送路９４に連設する。また、退避搬送路９４には、蓄積性蛍光体シートＩＰが搬送方向を反転され、図示しないパス切換ガイドを介して搬送される消去搬送路９６が連設する。消去搬送路９６は、メイン搬送路６０に連設しており、退避搬送路９４から搬送された蓄積性蛍光体シートＩＰをメイン搬送路６０に供給する。
【００２１】
上方向に湾曲する読取搬送路７０の内周側上部には、励起光であるレーザビームＬを蓄積性蛍光体シートＩＰの主方向に走査するスキャナ６４と、レーザビームＬが照射されることで蓄積性蛍光体シートＩＰから得られた放射線画像情報を含む輝尽発光光を読み取る上部読取ユニット６６が配設される。また、読取搬送路７０の外周側下部には、蓄積性蛍光体シートＩＰを透過した輝尽発光光を読み取る下部読取ユニット６８が配設される。
【００２２】
上部読取ユニット６６は、下端部の入射面が第１及び第２ローラ対８０、８２間に近接して配置されるアクリル板等の透明体からなる集光ガイド８４と、集光ガイド８４の上端部の出射面に接続されるフォトマルチプライア等からなる光電変換器８６とから構成される。なお、集光ガイド８４の入射面に近接して、輝尽発光光を入射面に効率的に導くため、集光ミラー８８が配設される。光電変換器８６は、集光ガイド８４を介して導入された輝尽発光光を電気信号に変換する。
【００２３】
下部読取ユニット６８は、アクリル板等の透明体からなる集光ガイド９８と、フォトマルチプライア等からなる光電変換器１００とからなり、集光ガイド９８は、蓄積性蛍光体シートＩＰを透過した輝尽発光光を集光して光電変換器１００に導く。
【００２４】
スキャナ６４は、筐体１０２によって保持され、その内部には、図２に示すように、レーザビームＬを出力するレーザダイオード１０４（光源）と、レーザビームＬを蓄積性蛍光体シートＩＰの主方向に偏向するポリゴンミラー１０６と、レーザダイオード１０４及びポリゴンミラー１０６間に配設されるビームスプリッタ１１１と、ビームスプリッタ１１１によって分岐されて導かれたレーザビームＬの強度を検出する光検出器１０７と、ポリゴンミラー１０６によって反射されたレーザビームＬの走査速度を調整する走査レンズ１０８、１０９と、レーザビームＬを反射して蓄積性蛍光体シートＩＰに導くプリズム１１０及び反射ミラー１１２とが配設される。
【００２５】
退避搬送路９４と消去搬送路９６との間には、電源部１２６と、放射線画像情報の読み取られた蓄積性蛍光体シートＩＰに残存する放射線エネルギを消去する消去ユニット１２８とが配設される。消去ユニット１２８は、ケース１３０内に消去光Ｑを出力する冷陰極蛍光管等からなる複数の消去光源１３２を収容して構成される。
【００２６】
図３は、放射線画像情報読取装置２０の制御回路１３４を示す。なお、スキャナ６４を構成する走査光学系１３６は、ポリゴンミラー１０６、走査レンズ１０８、１０９、プリズム１１０及び反射ミラー１１２からなる。
【００２７】
制御回路１３４は、上部読取ユニット６６を制御する上部読取ユニット制御部１３８と、下部読取ユニット６８を制御する下部読取ユニット制御部１４０と、上部読取ユニット制御部１３８及び下部読取ユニット制御部１４０から供給された画像信号の加算処理を行う加算処理部１４２と、加算処理部１４２によって加算された画像信号に対する画像処理を行う画像処理部１４４とを備える。
【００２８】
また、制御回路１３４は、ＬＤ出力目標値及び光検出器１０７により検出したレーザビームＬの強度に基づいてレーザダイオード１０４を制御するＬＤ制御部１４９と、加算処理部１４２から供給される画像信号である読取値（ＱＬ値）に基づいてＬＤ出力目標値を決定する光源出力調整部１４６と、前記読取値及び前記ＬＤ出力目標値の関係をＬＤ出力目標値テーブルとして記憶するＬＤ出力目標値テーブル記憶部１４８とを備える。
【００２９】
本実施形態の放射線画像情報読取装置２０は、基本的には、以上のように構成されるものであり、次に、その動作及び作用効果につき、図４に示すフローチャートに基づいて説明する。
【００３０】
先ず、図示しない電源スイッチを操作し、放射線画像情報読取装置２０の電源を投入する（ステップＳ１）。電源を投入した後、スキャナ６４を構成するレーザダイオード１０４の出力調整を行うか否かを判断する（ステップＳ２）。なお、レーザダイオード１０４の出力調整は、例えば、予め設定したタイマカレンダに従って一定期間毎に行う、オペレータの指示に従って任意の時期に行う、蓄積性蛍光体シートＩＰから放射線画像情報を読み取る直前に毎回行う、蓄積性蛍光体シートＩＰに記録された任意の放射線画像情報を読み取り、その放射線画像情報を用いて行う、といった種々の態様が可能である。この場合、出力調整用の蓄積性蛍光体シートＩＰを用いてオペレータの指示に従って出力調整を行うものとする。
【００３１】
そこで、オペレータが出力調整を行う決定をした場合、カセッテ３４から出力調整用の蓄積性蛍光体シートＩＰを読取搬送路７０に供給する（ステップＳ３）。なお、出力調整用の蓄積性蛍光体シートＩＰとしては、例えば、規定の線量のＸ線を一様に曝射したものを用いることができる。
【００３２】
出力調整用の蓄積性蛍光体シートＩＰは、吸着盤５２ａ〜５２ｄによって吸着されてカセッテ３４から取り出された後、メイン搬送路６０から読取搬送路７０に供給される。蓄積性蛍光体シートＩＰが第１及び第２ローラ対８０、８２間に搬送された後、ＬＤ制御部１４９によってレーザダイオード１０４が点灯される（ステップＳ４）。
【００３３】
ＬＤ制御部１４９は、予め設定されているＬＤ出力目標値に従ってレーザダイオード１０４を駆動する。なお、レーザダイオード１０４から出力されたレーザビームＬの強度は、ビームスプリッタ１１１によって光検出器１０７に導かれて検出され、ＬＤ制御部１４９にフィードバックされる。
【００３４】
一方、ビームスプリッタ１１１を透過したレーザビームＬは、走査光学系１３６を構成するポリゴンミラー１０６によって反射された後、走査レンズ１０８、１０９、プリズム１１０及び反射ミラー１１２を介して出力調整用の蓄積性蛍光体シートＩＰに導かれる。
【００３５】
レーザビームＬが照射された出力調整用の蓄積性蛍光体シートＩＰからは、照射される励起光であるレーザビームＬの強度と、規定のＸ線量に対応して蓄積されている放射線画像情報とに応じた輝尽発光光が出力される。この輝尽発光光のうち、上部読取ユニット６６側の面から出力された輝尽発光光は、集光ガイド８４を介して直接光電変換器８６に導かれ、あるいは、集光ミラー８８によって反射された後、集光ガイド８４を介して光電変換器８６に導かれる。また、下部読取ユニット６８側の面から出力された輝尽発光光は、集光ガイド９８を介して光電変換器１００に導かれる。
【００３６】
光電変換器８６は、上部読取ユニット制御部１３８の制御作用下に、入射した輝尽発光光を電気信号に変換して加算処理部１４２に供給し、また、光電変換器１００は、下部読取ユニット制御部１４０の制御作用下に、入射した輝尽発光光を電気信号に変換して加算処理部１４２に供給する。加算処理部１４２は、これらの電気信号を所定の比率で加算し、出力調整用の読取値（ＱＬ値）として光源出力調整部１４６に供給する（ステップＳ５）。
【００３７】
ここで、走査光学系１３６と、集光ミラー８８を含む上部読取ユニット６６及び下部読取ユニット６８からなる集光光学系とを構成する各光学素子に塵埃が付着しておらず、あるいは、経時的変化による変色等が生じていない場合、光源出力調整部１４６には、蓄積性蛍光体シートＩＰに蓄積記録されている規定のＸ線量に対応した所定の読取値（ＱＬ値）が供給される。
【００３８】
一方、当該放射線画像情報読取装置２０の使用中に発生した塵埃が光学素子に付着し、あるいは、経時的変化によって光学素子が変色したような場合、レーザビームＬの透過率が低下するため、前記読取値（ＱＬ値）は、所定読取値よりも小さい値となって光源出力調整部１４６に供給される。また、レーザダイオード１０４の機能が低下した場合においても同様に読取値（ＱＬ値）が小さくなる。
【００３９】
そこで、光源出力調整部１４６は、ＬＤ出力目標値テーブル記憶部１４８に記憶されているＬＤ出力目標値テーブル（図５参照）を用いて、供給された読取値（ＱＬ値）を所定の読取値（ＱＬ値）とすることのできるＬＤ出力目標値を求め、このＬＤ出力目標値をＬＤ制御部１４９に設定する（ステップＳ６）。ＬＤ制御部１４９は、設定されたＬＤ出力目標値に従ってレーザダイオード１０４を駆動する。
【００４０】
この場合、走査光学系１３６や集光光学系の透過率が塵埃等の影響によって低下、あるいは、レーザダイオード１０４の機能が低下していると、読取値（ＱＬ値）が小さくなるため、ＬＤ出力目標値は大きくなるように調整される。また、ＬＤ出力目標値が調整された後、光学系の清掃やレーザダイオード１０４のメンテナンスが行われ、光電変換器８６及び１００に導かれる輝尽発光光の光量が増加すると、読取値（ＱＬ値）が大きくなる。この場合には、ＬＤ出力目標値は小さくなるように調整される。
【００４１】
この結果、レーザダイオード１０４は、定格の使用範囲内において、適切な強度からなるレーザビームＬを出力するように調整されるため、電力の無駄な消費が抑制され、且つ、レーザダイオード１０４の長寿命化を図ることができる。また、蓄積性蛍光体シートＩＰに対して過剰な強度からなるレーザビームＬが照射されることがないため、蓄積性蛍光体シートＩＰの長寿命化にも貢献することができる。さらに、輝尽発光光が導かれる光電変換器８６及び１００の長寿命化を図ることもできる。
【００４２】
なお、ＬＤ出力目標値は、図５に示すように、読取値（ＱＬ値）に対してＬＤ出力目標値を連続的に設定したＬＤ出力目標値テーブルを用いる代わりに、読取値（ＱＬ値）に対してＬＤ出力目標値を段階的に設定したＬＤ出力目標値テーブルを用いるようにしてもよい。また、ＬＤ出力目標値テーブルを用いる代わりに、所定の閾値と読取値（ＱＬ値）との大小を比較してＬＤ出力目標値を求め、ＬＤ制御部１４９に設定するようにしてもよい。
【００４３】
以上のようにしてＬＤ制御部１４９に対するＬＤ出力目標値を設定した後、任意の放射線画像情報が蓄積されている蓄積性蛍光体シートＩＰの読取処理を行う（ステップＳ７）。この場合、蓄積性蛍光体シートＩＰから読み取られた放射線画像情報は、加算処理部１４２から画像処理部１４４に供給され、所望の画像処理が施された後、外部装置に送信される。
【００４４】
放射線画像情報が読み取られた蓄積性蛍光体シートＩＰは、読取搬送路７０から一旦退避搬送路９４に搬送された後、搬送方向が反転されて消去搬送路９６に供給される。なお、読み取りが終了した蓄積性蛍光体シートＩＰを一旦退避搬送路９４に搬送し、その間に他の蓄積性蛍光体シートＩＰを読取搬送路７０に供給し、並行して読取処理を行うことができる。
【００４５】
消去搬送路９６に供給された蓄積性蛍光体シートＩＰには、消去ユニット１２８を構成する消去光源１３２から消去光Ｑが照射され、残存する放射線画像情報が消去される（ステップＳ８）。消去後の蓄積性蛍光体シートＩＰは、メイン搬送路６０を介して枚葉部５０まで搬送された後、所望のカセッテ３４に戻される（ステップＳ９）。なお、次に処理すべき蓄積性蛍光体シートＩＰがある場合（ステップＳ１０）、ステップＳ２からの処理が繰り返される。
【００４６】
ここで、上述した実施形態では、出力調整用の蓄積性蛍光体シートＩＰを用いてＬＤ出力目標値を設定する場合について説明したが、例えば、任意の放射線画像情報が記録されている蓄積性蛍光体シートＩＰを読み取って得た読取値（ＱＬ値）の最大値に基づき、ＬＤ出力目標値を設定し、そのＬＤ出力目標値に従ってレーザダイオード１０４を駆動し、次の蓄積性蛍光体シートＩＰに記録されている放射線画像情報を適切な条件で読み取るようにすることもできる。
【００４７】
また、レーザダイオード１０４から出力されたレーザビームＬを蓄積性蛍光体シートＩＰに照射し、蓄積性蛍光体シートＩＰから得られた輝尽発光光を読み取ってＬＤ出力目標値を求める代わりに、図１〜図３に仮想線で示すように、輝尽発光光と同等の波長からなる出力調整用レーザビームＴを出力する出力調整用レーザダイオード１１４を用いてＬＤ出力目標値を求めることもできる。
【００４８】
すなわち、出力調整を行う際、読取搬送路７０に任意の蓄積性蛍光体シートＩＰを供給した後、出力調整用レーザダイオード１１４から規定の強度からなる出力調整用レーザビームＴを出力し、蓄積性蛍光体シートＩＰに照射する。蓄積性蛍光体シートＩＰの上面によって反射された出力調整用レーザビームＴは、集光ガイド８４を介して直接光電変換器８６に導かれ、あるいは、集光ミラー８８によって反射された後、集光ガイド８４を介して光電変換器８６に導かれる。また、蓄積性蛍光体シートＩＰを透過した出力調整用レーザビームＴは、集光ガイド９８を介して光電変換器１００に導かれる。
【００４９】
光電変換器８６及び１００に導かれ出力調整用レーザビームＴは、電気信号に変換され、加算処理部１４２で加算された後、読取値（ＱＬ値）として光源出力調整部１４６に供給される。光源出力調整部１４６は、供給された読取値（ＱＬ値）に対応するＬＤ出力目標値をＬＤ出力目標値テーブル記憶部１４８から読み出し、ＬＤ制御部１４９に設定する。
【００５０】
この場合、出力調整用レーザビームＴの強度に基づいて読取値（ＱＬ値）とＬＤ出力目標値との関係を設定しておくことにより、集光ミラー８８を含む上部読取ユニット６６及び下部読取ユニット６８の透過率の変動に対応してレーザダイオード１０４から出力されるレーザビームＬの強度を適切に調整することができる。
【図面の簡単な説明】
【００５１】
【図１】本実施形態の放射線画像情報読取装置の内部構成図である。
【図２】本実施形態の放射線画像情報読取装置を構成するスキャナの構成説明図である。
【図３】本実施形態の放射線画像情報読取装置のスキャナを含む制御回路のブロック図である。
【図４】本実施形態の放射線画像情報読取装置における処理フローチャートである。
【図５】本実施形態の放射線画像情報読取装置におけるＬＤ出力目標値テーブル記憶部に設定されるテーブルの説明図である。
【符号の説明】
【００５２】
２０…放射線画像情報読取装置          ３４…カセッテ
３６ａ〜３６ｄ…カセッテ装填ユニット
６４…スキャナ                        ６６…上部読取ユニット
６８…下部読取ユニット                ８４、９８…集光ガイド
８６、１００…光電変換器              ８８…集光ミラー
１０４…レーザダイオード              １０６…ポリゴンミラー
１０８、１０９…走査レンズ            １１０…プリズム
１１２…反射ミラー                    １１４…出力調整用レーザダイオード
１２８…消去ユニット                  １３４…制御回路
１３６…走査光学系                    １４６…光源出力調整部
１４８…ＬＤ出力目標値テーブル記憶部  １４９…ＬＤ制御部
ＩＰ…蓄積性蛍光体シート
【図１】
2005086696.tif 000003
【図２】
2005086696.tif 000004
【図３】
2005086696.tif 000005
【図４】
2005086696.tif 000006
【図５】
2005086696.tif 000007